【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】  複数のエントリを持つ暗号化鍵データベースに従ってデジタルコンテンツを事前リリースする方法であって、各エントリはリリースタイムと対応する暗号化鍵を含み、該方法は前記暗号化鍵データベースに対するアクセスを有するコンピューティングデバイスによって実行されるものであり、該方法は、
前記デジタルコンテンツに関する将来のリリースタイムの選択を受信するステップと、
前記選択された将来のリリースタイムと該選択された将来のリリースタイムに対応する暗号化鍵とを持つ前記エントリを前記暗号化鍵データベースの中から識別するステップであって、前記選択された将来のリリースタイムは前記デジタルコンテンツが配信されるときの配信時間よりも遅いステップと、
前記選択された将来のリリースタイムに対応する前記暗号化鍵を前記識別されたエントリから獲得するステップであって、該獲得された暗号化鍵は対応する解読鍵を有し、該解読鍵は当該獲得された暗号鍵に対応する前記選択された将来のリリースタイムまではリリースされないステップと、
前記獲得されたデジタルコンテンツを前記暗号化鍵で暗号化するステップであって、前記選択された将来のリリースタイム以前ではなく、そのリリースタイム時に当該解読鍵がリリースされたときに、前記暗号化デジタルコンテンツは前記暗号化鍵に対応する該解読鍵によって解読できるステップと、
前記選択された将来のリリースタイム以前に、前記配信時間において少なくとも１つのコンテンツユーザに前記暗号化デジタルコンテンツを配信するステップと、
前記選択された将来のリリースタイム以前ではなく、そのリリースタイム時に前記解読鍵を獲得するステップと、
前記暗号化デジタルコンテンツの前記獲得された解読鍵を前記選択された将来のリリースタイム以前ではなく、そのリリースタイム時に前記コンテンツユーザにリリースするステップであって、該コンテンツユーザは、その結果、該リリースされた解読鍵を使用して前記暗号化デジタルコンテンツを解読できるステップと
を含むことを特徴とする方法。
【請求項２】  請求項１に記載の方法において、前記リリースするステップは、前記解読鍵を前記コンテンツユーザに送信することを含むことを特徴とする方法。
【請求項３】  請求項２に記載の方法において、前記リリースするステップは、インターネットウェブページ、電子メールメッセージおよび通常のメールメッセージからなるグループから選択されたデバイスを経由して、前記解読鍵を前記コンテンツユーザに送信することを含むことを特徴とする方法。
【請求項４】  請求項１に記載の方法において、前記暗号化するステップは、非対称鍵ペアからの暗号化鍵を使用して前記デジタルコンテンツを暗号化することを含むことを特徴とする方法。
【請求項５】  請求項１に記載の方法において、前記暗号化するステップは、対称鍵である暗号化鍵を使用して前記デジタルコンテンツを暗号化することを含み、前記解読鍵は該暗号化鍵であることを特徴とする方法。
【請求項６】  請求項１に記載の方法において、前記暗号化するステップは、各々のエントリがリリースタイムと暗号化鍵を含んでいる該複数のエントリをもつ暗号化鍵データベースから選択された暗号化鍵で前記デジタルコンテンツを暗号化することを含み、前記複数のエントリ内のリリースタイムは、定期的な時間的間隔が置かれていることを特徴とする方法。
【請求項７】  請求項６に記載の方法において、前記暗号化するステップは、暗号化鍵データベースからの複数の暗号化鍵を使用して、前記デジタルコンテンツを複数回暗号化することを含み、各暗号化鍵に対応する前記リリースタイムは、前記デジタルコンテンツに関する前記決定されているリリースタイム以内であることを特徴とする方法。
【請求項８】  請求項１に記載の方法において、前記暗号化するステップは、複数の暗号化鍵データベースから選択された複数の暗号化鍵を使用して前記デジタルコンテンツを複数回暗号化することを含むことを特徴とする方法。
【請求項９】  請求項１に記載の方法において、前記暗号化するステップは、複数のエントリをもつ暗号化鍵データベースから選択された暗号化鍵で前記デジタルコンテンツを暗号化することを含み、各々のエントリはリリースタイム、暗号化鍵、および対応する解読鍵を含んでいることを特徴とする方法。
【請求項１０】  請求項１に記載の方法において、さらに、リリースタイム後の少なくとも最短期間の間に前記解読鍵を提供するステップを含むことを特徴とする方法。
【請求項１１】  請求項１０に記載の方法において、さらに、前記暗号化デジタルコンテンツをリリースタイムと一緒にパッケージ化するステップを含むことを特徴とする方法。
【請求項１２】  複数のエントリを持つ暗号化鍵データベースに従ってデジタルコンテンツを事前リリースする方法であって、各エントリはリリースタイムと対応する暗号化鍵を含み、該方法は前記暗号化鍵データベースに対するアクセスを有するコンピューティングデバイスによって実行されるものであり、該方法は、
前記デジタルコンテンツに関する将来のリリースタイムの選択を受信するステップと、
前記選択された将来のリリースタイムと該選択された将来のリリースタイムに対応する暗号化鍵とを持つ前記エントリを前記暗号化鍵データベースの中から識別するステップであって、前記選択された将来のリリースタイムは前記デジタルコンテンツが配信されるときの配信時間よりも遅いステップと、
前記選択された将来のリリースタイムに対応する前記暗号化鍵を前記識別されたエントリから獲得するステップであって、該獲得された暗号化鍵は対応する解読鍵を有し、該解読鍵は当該の獲得された暗号鍵に対応する前記選択された将来のリリースタイムまではリリースされないステップと、
前記デジタルコンテンツを前記獲得された暗号化鍵で暗号化するステップであって、該暗号化デジタルコンテンツは前記暗号化鍵に対応する前記解読鍵によって解読可能であって、該解読鍵は、将来のリリースタイムまでは前記コンテンツユーザにリリースされないステップと、
前記暗号化鍵を前記選択された将来のリリースタイム以前に、前記配送時間において少なくとも１つのコンテンツユーザに配信するステップであって、該コンテンツユーザは、前記解読鍵が該選択された将来のリリースタイムにリリースされるまでは前記暗号化デジタルコンテンツを解読できないステップと
を含むことを特徴とする方法。
【請求項１３】  請求項１２に記載の方法において、前記暗号化するステップは、非対称鍵ペアからの暗号化鍵を使用して前記デジタルコンテンツを暗号化することを含むことを特徴とする方法。
【請求項１４】  請求項１２に記載の方法において、前記暗号化するステップは、複数のエントリをもつ暗号化鍵データベースから選択された暗号化鍵で前記デジタルコンテンツを暗号化することを含み、各々のエントリはリリースタイムと暗号化鍵を含み、前記複数のエントリ内のリリースタイムは、定期的な時間的間隔が置かれていることを特徴とする方法。
【請求項１５】  請求項１４に記載の方法において、前記暗号化するステップは、前記暗号化鍵データベースからの複数の暗号化鍵を使用して、前記デジタルコンテンツを複数回暗号化することを含み、各暗号化鍵に対応する前記リリースタイムは、前記デジタルコンテンツの前記決定されているリリースタイム以内であることを特徴とする方法。
【請求項１６】  請求項１２に記載の方法において、前記暗号化するステップは、複数のエントリをもつ暗号化鍵データベースから選択された暗号化鍵で前記デジタルコンテンツを暗号化することを含み、各々のエントリはリリースタイム、暗号化鍵、および対応する解読鍵を含んでいることを特徴とする方法。
【請求項１７】  請求項１２に記載の方法において、前記暗号化するステップは、複数の暗号化鍵データベースから選択された複数の暗号化鍵を使用して前記デジタルコンテンツを暗号化することを含むことを特徴とする方法。
【請求項１８】  請求項１２に記載の方法において、さらに、前記暗号化デジタルコンテンツを前記リリースタイムと一緒にパッケージ化するステップを含むことを特徴とする方法。
【請求項１９】  複数のエントリを持つ暗号化鍵データベースに従って第１と第２のデジタルコンテンツアイテムを事前リリースする方法であって、各エントリはリリースタイムと対応する暗号化鍵を含み、該方法は前記暗号化鍵データベースに対するアクセスを有するコンピューティングデバイスによって実行されるものであり、該方法は、
前記第１のデジタルコンテンツアイテムを第１の配信時間で配信するために該第１の配信時間の選択を受信するステップと、
前記第２のデジタルコンテンツアイテムを第２の配信時間で配信するために該第２の配信時間の選択を受信するステップであって、前記第２の配信時間は前記第１の配信時間と異なるステップと、
前記第１のデジタルコンテンツアイテムと前記第２のコンテンツアイテムの両方に対する単一の将来のリリースタイムの選択を受信するステップであって、該単一の将来のリリースタイムは前記第１と第２の配信時間よりも遅いステップと、
前記単一の将来のリリースタイムと該単一の将来のリリースタイムに対応する暗号化鍵とを持つエントリを前記暗号化鍵データベースの中から識別するステップと、
前記単一の将来のリリースタイムに対応する単一の暗号化鍵を前記識別されたエントリから獲得するステップであって、該獲得された暗号化鍵は対応する単一の解読鍵を有するステップと、
前記第１と第２のデジタルコンテンツアイテムを前記獲得された単一の暗号化鍵で暗号化するステップと、
前記第１の配信時間において、少なくとも１つのコンテンツユーザに前記暗号化された第１の暗号化デジタルコンテンツアイテムを配信するステップと、
前記第２の配信時間において、少なくとも１つのコンテンツユーザに前記暗号化された第２のデジタルコンテンツアイテムを配信するステップと、
前記暗号化された第１と第２のデジタルコンテンツアイテムのための前記単一の解読鍵を、前記単一の将来のリリースタイム以前ではなく、そのリリースタイム時に、少なくとも前記コンテンツユーザにリリースするステップであって、それにより、それぞれ別の時間に配信された前記第１と第２のデジタルコンテンツアイテムを解読するために単一の解読鍵のみがリリースされるステップと
を含むことを特徴とする方法。
【請求項２０】  第１のデジタルコンテンツアイテムを第１の配信時間で配信するために該第１の配信時間の選択を受信するステップと、
第２のデジタルコンテンツアイテムを第２の配信時間で配信するために該第２の配信時間の選択を受信するステップであって、前記第２の配信時間は前記第１の配信時間と異なるステップと、
前記第１のデジタルコンテンツアイテムと前記第２のコンテンツアイテムの両方に対する単一の将来のリリースタイムの選択を受信するステップであって、該単一の将来のリリースタイムは前記第１と第２の配信時間よりも遅いステップと、
前記単一の将来のリリースタイムと該単一の将来のリリースタイムに対応する暗号化鍵とを持つエントリを暗号化鍵データベースの中から識別するステップと、
前記単一の将来のリリースタイムに対応する単一の暗号化鍵を前記識別されたエントリから獲得するステップであって、該獲得された暗号化鍵は対応する単一の解読鍵を有するステップと、
前記第１と第２のデジタルコンテンツアイテムを前記獲得された単一の暗号化鍵で暗号化するステップと、
前記第１の配信時間において、少なくとも１つのコンテンツユーザに前記暗号化された第１の暗号化デジタルコンテンツアイテムを配信するステップと、
前記第２の配信時間において、少なくとも１つのコンテンツユーザに前記暗号化された第２のデジタルコンテンツアイテムを配信するステップと、
前記暗号化された第１と第２のデジタルコンテンツアイテムのための前記単一の解読鍵を、前記単一の将来のリリースタイム以前ではなく、そのリリースタイム時に、少なくとも前記コンテンツユーザにリリースするステップであって、それにより、それぞれ別の時間に配信された前記第１と第２のデジタルコンテンツアイテムを解読するために単一の解読鍵のみがリリースされるステップと
を実行させるためのコンピュータ実行可能命令を記録したことを特徴とするコンピュータ読み取り可能な記録媒体。